(57)【要約】【課題】カード発行者、加盟店及び購入者たる会員のいずれもが大きな利益を得る。【解決手段】カード発行者（１）と、加盟店（３）と、会員（５）と、各加盟店と各会員の口座を有する金融機関（７）とを備え、カード発行者と各加盟店及びカード発行者と金融機関をそれぞれ接続し、カード発行者は各会員から保証金を預かると共にカードを各会員に引き渡し、各加盟店はカードを提示した各会員に商品又はサービスを一定の値引きを行なった対価で提供すると共に会員に対する売上高の一定割合を管理費用としてカード発行者に支払うものとし、各会員は一定額の管理費用を定期的にカード発行者に支払うものとし、各加盟店はカードを提示した会員から商品又はサービスの購入の申し出を受けたときには該加盟店はカード発行者を介して金融機関に対価の決済をさせ、決済確認後に商品又はサービスを該会員に提供する。【選択図】図１
2004178274.tif 000002
【特許請求の範囲】
【請求項１】
決済のためのカードを発行するカード発行者と、商品又はサービスを提供する加盟店と、商品又はサービスを購入する会員と、各加盟店と各会員の口座を有する金融機関とを備え、
カード発行者のコンピュータと各加盟店のコンピュータとをコンピュータネットワーク又は専用回線を介して接続し、
カード発行者のコンピュータと金融機関のコンピュータとをコンピュータネットワーク又は専用回線を介して接続し、
カード発行者は各会員から保証金を預かると共にカードを各会員に引き渡し、
各加盟店はカードを提示した各会員に商品又はサービスを一定の値引きを行なった対価で提供すると共に会員に対する売上高の一定割合を管理費用としてカード発行者に支払うものとし、
各会員は一定額の管理費用を定期的にカード発行者に支払うものとし、
各加盟店は会員から商品又はサービスの購入の申し出を受けたときには該加盟店は当該商品又はサービスの対価をカード発行者に通知し、該カード発行者は金融機関に対し当該対価を該会員の口座から該加盟店の口座に入金するように依頼し、
金融機関はカード発行者の依頼に基づき、当該対価を該会員の口座から該加盟店の口座に入金し、
金融機関は該加盟店の口座に対する当該対価の入金が完了したときにはその旨をカード発行者に通知し、カード発行者は当該対価が該加盟店の口座に入金したことを該加盟店に通知し、
該加盟店はカード発行者からの該通知を確認した後、当該商品又はサービスを該会員に提供するようにしたことを特徴とするカード決済システム。
【請求項２】
会員が購入を申し出た前記商品又はサービスの対価に対し、金融機関における該会員の口座の残高が不足するときには、カード発行者は当該不足額が前記保証金の一定割合を越さないときには金融機関における前記加盟店の口座に当該対価を入金し、カード発行者は当該対価が該加盟店の口座に入金したことを該加盟店に通知し、
該加盟店は該カード発行者からの該通知を確認した後、当該商品又はサービスを該会員に提供するようにしたことを特徴とする請求項１記載のカード決済システム。
【発明の詳細な説明】
【０００１】
【発明の属する技術分野】
本発明はコンピュータネットワークを利用したカード決済システムに関するものである。
【０００２】
【従来の技術】
顧客が商品又はサービスの提供を受ける際における対価の支払いはしばしばキャッシュカード、デビットカード、クレジットカード等のカードにより行われている。なお、本出願人は先行技術文献情報を有しない。
【０００３】
【発明が解決しようとする課題】
本発明は、決済のためのカードを発行するカード発行者、商品又はサービスを提供する提供者（加盟店）及び商品又はサービスを購入する購入者（会員）のいずれにとっても大きな利益が得られるようにしたカード決済システムを提供しようとしてなされたものである。
【０００４】
【課題を解決するための手段】
上記課題を解決するために、本発明は下記のカード決済システムを提供するものである。
【０００５】
（１）決済のためのカードを発行するカード発行者と、商品又はサービスを提供する加盟店と、商品又はサービスを購入する会員と、各加盟店と各会員の口座を有する金融機関とを備え、
カード発行者のコンピュータと各加盟店のコンピュータとをコンピュータネットワーク又は専用回線を介して接続し、
カード発行者のコンピュータと金融機関のコンピュータとをコンピュータネットワーク又は専用回線を介して接続し、
カード発行者は各会員から保証金を預かると共にカードを各会員に引き渡し、
各加盟店はカードを提示した各会員に商品又はサービスを一定の値引きを行なった対価で提供すると共に会員に対する売上高の一定割合を管理費用としてカード発行者に支払うものとし、
各会員は一定額の管理費用を定期的にカード発行者に支払うものとし、
各加盟店は会員から商品又はサービスの購入の申し出を受けたときには該加盟店は当該商品又はサービスの対価をカード発行者に通知し、該カード発行者は金融機関に対し当該対価を該会員の口座から該加盟店の口座に入金するように依頼し、
金融機関はカード発行者の依頼に基づき、当該対価を該会員の口座から該加盟店の口座に入金し、
金融機関は該加盟店の口座に対する当該対価の入金が完了したときにはその旨をカード発行者に通知し、カード発行者は当該対価が該加盟店の口座に入金したことを該加盟店に通知し、
該加盟店はカード発行者からの該通知を確認した後、当該商品又はサービスを該会員に提供するようにしたことを特徴とするカード決済システム（請求項１）。
【０００６】
（２）会員が購入を申し出た前記商品又はサービスの対価に対し、金融機関における該会員の口座の残高が不足するときには、カード発行者は当該不足額が前記保証金の一定割合を越さないときには金融機関における前記加盟店の口座に当該対価を入金し、カード発行者は当該対価が該加盟店の口座に入金したことを該加盟店に通知し、
該加盟店は該カード発行者からの該通知を確認した後、当該商品又はサービスを該会員に提供する（請求項２）。
【０００７】
【発明の実施の形態】
次に、本発明の実施の形態を添付図面に従って説明する。
本発明によるカード決済システムは、決済のためのカードを発行するカード発行者１と、商品又はサービスを提供する加盟店３と、商品又はサービスを購入する会員５と、各加盟店３と各会員５の口座を有する銀行その他の金融機関７とを備えている。
【０００８】
即ち、カード発行者１は各加盟店３、各会員５及び金融機関７とそれぞれ本発明によるカード決済システムに関する契約を締結する。
【０００９】
カード発行者１のコンピュータと各加盟店３のコンピュータとをインターネット等のコンピュータネットワーク又は専用回線９を介して接続する（符号１０）。
【００１０】
カード発行者１のコンピュータと金融機関７のコンピュータとをインターネット等のコンピュータネットワーク又は専用回線１１を介して接続する（符号１２）。
【００１１】
カード発行者１は各会員５から保証金を預かる（符号１３）と共にカードを各会員５に引き渡す（符号１５）。
【００１２】
カード発行者１が各会員５から預かる保証金は一例として金５０万円とし、カード発行者１は該保証金を預かる際に預り証を該会員５に引き渡す。
【００１３】
カード発行者１は、カード決済システムに関する契約が終了したときには、保証金を預り証と引き換えに該会員５に返還するものとする。
【００１４】
各加盟店３はカードを提示した各会員５に商品又はサービスを一定の値引きを行なった対価で提供するものとる。値引率は例えば対価の５〜１２％とする。
【００１５】
各加盟店３は、会員５に対する売上高の一定割合を管理費用としてカード発行者１に支払うものとする。この管理費用は例えば売上高の１．５％程度とする。
【００１６】
各会員５は一定額の管理費用を定期的にカード発行者１に支払うものとする。この管理費用は例えば金５０００円／月とし、毎月一定日に金融機関７における各会員５の口座よりカード発行者１の口座に振り替えられる。
【００１７】
各加盟店３は会員５から商品又はサービスの購入の申し出（符号１７）を受けたときには該加盟店３は当該商品又はサービスの対価をコンピュータネットワーク又は専用回線９を介してカード発行者１に通知し（符号１９）、該カード発行者１は金融機関７に対し当該対価をコンピュータネットワーク又は専用回線１１を介して該会員３の口座から該加盟店３の口座に入金するように依頼する（符号２１）。
【００１８】
金融機関７はカード発行者１の依頼に基づき、当該対価を該会員３の口座から該加盟店３の口座に入金する。
【００１９】
金融機関７は該加盟店３の口座に対する当該対価の入金が完了したときにはその旨をコンピュータネットワーク又は専用回線１１を介してカード発行者１に通知し（符号２３）、カード発行者１は当該対価が該加盟店の口座に入金したことをコンピュータネットワーク又は専用回線９を介して該加盟店３に通知する（符号２５）。
【００２０】
該加盟店３はカード発行者１からの該通知を確認した後、当該商品又はサービスを該会員５に提供する（符号２７）。
【００２１】
加盟店３が会員５から商品又はサービスの購入の申し出を受けたときから該加盟店３が当該商品又はサービスを該会員５に提供するまでの時間は、該加盟店３とカード発行者１との間およびカード発行者１と金融機関７との間をそれぞれコンピュータネットワーク又は専用回線９、１１を介して接続することにより短縮される。
【００２２】
会員５が購入を申し出た前記商品又はサービスの対価に対し、金融機関７における該会員３の口座の残高が不足するときには、カード発行者１は当該不足額が前記保証金の一定割合を越さないときには該金融機関７における前記加盟店３の口座に当該対価を入金し、カード発行者１は当該対価が該加盟店３の口座に入金したことをコンピュータネットワーク又は専用回線９を介して該加盟店３に通知し、該加盟店３は該カード発行者１からの該通知を確認した後、当該商品又はサービスを該会員５に提供するようにしてもよい。
【００２３】
カード発行者１と各会員５及び金融機関７との間で締結されるカード決済システムに関する契約において、カード発行者１に対し各会員５が契約締結時に登録手数料として例えば金５万円を支払い、契約終了時に登録抹消手数料として例えば金５万円を支払うように取り決めてもよい。
【００２４】
なお、会員５はカードを紛失した場合には、その旨を直ちにカード発行者１に通知し、カード発行者１は直ちに該カードによる支払いを停止するための手続きを行なうものとする。この場合、該会員５がカードを紛失した旨をカード発行者１に通知する前に第三者により該カードが不正使用されたときには、カード発行者はその責任を負わないものとする。
【００２５】
【発明の効果】
以上説明したように、本発明によれば、決済のためのカードを発行するカード発行者、商品又はサービスを提供する加盟店及び商品又はサービスを購入する会員のいずれにとっても大きな利益が得られる。
【００２６】
即ち、カード発行者は、各会員から保証金を預かると共に各会員から一定額の管理費用を定期的に受け取ることができる。また、カード発行者は各加盟店から会員に対する売上高の一定割合を管理費用として受け取ることができる。
【００２７】
加盟店は、会員に対する集客力により売上げの増加を期待することができ、対価の決済後に商品又はサービスを会員に提供するようにしているため、商品又はサービスの対価を確実に受け取ることができる。更に、加盟店は現金を店内に所持する必要がないため、安全である。
【００２８】
会員は、商品又はサービスを一定の値引きを行なった対価で購入することができる。
【図面の簡単な説明】
【図１】本発明によるカード決済システムを示す構成図である。
【符号の説明】
１  カード発行者
３  加盟店
５  会員
７  金融機関
９  コンピュータネットワーク又は専用回線
１１  コンピュータネットワーク又は専用回線
【図１】
2004178274.tif 000003